(57)【特許請求の範囲】
【請求項１】
コンパクト制御局間のデータ伝送方法において、
前記コンパクト制御局内網整合部の機能をデータ送信機能とデータ受信機能とによって分離生成する網整合部分離生成段階と、
前記網整合部分離生成段階で前記網整合部がデータ受信機能として生成された場合、他のコンパクト制御局内網整合部からイーサネットを利用したＴＣＰ／ＩＰ通信を通して運用保全データを受信するデータ受信段階と、
前記網整合部分離生成段階で前記網整合部がデータ送信機能として生成された場合、他のコンパクト制御局内網整合部にイーサネットを利用したＴＣＰ／ＩＰ通信を通して制御データ及び運用保全データを送信するデータ送信段階と、で構成され、
運用者インタフェース機能を提供するコンパクト制御局でデータ受信は、
前記網整合部分離生成段階で網整合部がデータ受信機能によって生成された場合連結要求メッセージ及び応答メッセージを送受信する連結要求及び応答送受信段階と、前記連結要求及び応答送受信段階で応答メッセージを送信した後に網整合部の状態を連結状態に転換する連結状態転換段階と、前記連結状態転換段階遂行後、運用者インタフェース機能を提供しないコンパクト制御局の網整合部から送信される運用保全データを受信して応用ブロックに伝送する運用保全データ受信段階とで構成されることを特徴とするコンパクト制御局間のイーサネットを利用したデータ伝送方法。
【請求項２】
前記連結要求及び応答送受信段階は、運用者インタフェースを提供しないコンパクト制御局内網整合部からの連結要求を待機している途中で連結要求可否を判断して連結要求が来ていないと一定時間待機してから再び連結要求可否を判断して、連結要求が来ていれば連結要求に対する応答メッセージを前記運用者インタフェースを提供しないコンパクト制御局内網整合部に送信することを特徴とする請求項１に記載のコンパクト制御局間のイーサネットを利用したデータ伝送方法。
【請求項３】
コンパクト制御局間のデータ伝送方法において、
前記コンパクト制御局内網整合部の機能をデータ送信機能とデータ受信機能とによって分離生成する網整合部分離生成段階と、
前記網整合部分離生成段階で前記網整合部がデータ受信機能として生成された場合、他のコンパクト制御局内網整合部からイーサネットを利用したＴＣＰ／ＩＰ通信を通して運用保全データを受信するデータ受信段階と、
前記網整合部分離生成段階で前記網整合部がデータ送信機能として生成された場合、他のコンパクト制御局内網整合部にイーサネットを利用したＴＣＰ／ＩＰ通信を通して制御データ及び運用保全データを送信するデータ送信段階と、で構成され、
運用者インタフェース機能を提供するコンパクト制御局で前記データ送信は、
前記網整合部分離生成段階で網整合部がデータ送信機能によって生成された場合内部メッセージ待ち行列から運用保全データ送信要求メッセージを受信する送信要求メッセージ受信段階と、前記送信要求メッセージ受信段階遂行後、コンパクト制御局間が連結状態であるのかを確認する連結状態確認段階と、前記連結状態確認段階でコンパクト制御局間が連結状態の場合制御データに続き運用保全データを順に運用者インタフェース機能を提供しないコンパクト制御局の網整合部に送信する運用保全データ送信段階と、前記連結状態確認段階でコンパクト制御局間が未連結状態の場合運用保全データを削除して制御局間の未連結状態を運用者に通報するデータ削除及び通報段階で構成されることを特徴とするコンパクト制御局間のイーサネットを利用したデータ伝送方法。
【請求項４】
コンパクト制御局間のデータ伝送方法において、
前記コンパクト制御局内網整合部の機能をデータ送信機能とデータ受信機能とによって分離生成する網整合部分離生成段階と、
前記網整合部分離生成段階で前記網整合部がデータ受信機能として生成された場合、他のコンパクト制御局内網整合部からイーサネットを利用したＴＣＰ／ＩＰ通信を通して運用保全データを受信するデータ受信段階と、
前記網整合部分離生成段階で前記網整合部がデータ送信機能として生成された場合、他のコンパクト制御局内網整合部にイーサネットを利用したＴＣＰ／ＩＰ通信を通して制御データ及び運用保全データを送信するデータ送信段階と、で構成され、
運用者インタフェース機能を提供しないコンパクト制御局でデータ受信は、
前記網整合部分離生成段階で網整合部がデータ受信機能によって生成された場合連結要求メッセージ及び応答メッセージを送受信する連結要求及び応答送受信段階と、前記連結要求及び応答送受信段階で応答メッセージを受信した後に網整合部の状態を連結状態に転換する連結状態転換段階と、前記連結状態転換段階遂行後、運用者インタフェース機能を提供するコンパクト制御局の網整合部から送信される運用保全データを受信して応用ブロックに伝送する運用保全データ受信段階とで構成されることを特徴とするコンパクト制御局間のイーサネットを利用したデータ伝送方法。
【請求項５】
前記連結要求及び応答送受信段階は、運用者インタフェースを提供するコンパクト制御局内網整合部に連結要求メッセージを送信して連結要求に対する応答受信可否を判断して応答が来ていないと一定時間待機してから再び応答受信可否を判断して、応答が来ていれば応答メッセージを受信することを特徴とする請求項４に記載のコンパクト制御局間のイーサネットを利用したデータ伝送方法。
【請求項６】
コンパクト制御局間のデータ伝送方法において、
前記コンパクト制御局内網整合部の機能をデータ送信機能とデータ受信機能とによって分離生成する網整合部分離生成段階と、
前記網整合部分離生成段階で前記網整合部がデータ受信機能として生成された場合、他のコンパクト制御局内網整合部からイーサネットを利用したＴＣＰ／ＩＰ通信を通して運用保全データを受信するデータ受信段階と、
前記網整合部分離生成段階で前記網整合部がデータ送信機能として生成された場合、他のコンパクト制御局内網整合部にイーサネットを利用したＴＣＰ／ＩＰ通信を通して制御データ及び運用保全データを送信するデータ送信段階と、で構成され、
運用者インタフェース機能を提供しないコンパクト制御局でデータ送信は、
前記網整合部分離生成段階で網整合部がデータ送信機能によって生成された場合内部メッセージ待ち行列から運用保全データ送信要求メッセージを受信する送信要求メッセージ受信段階と、前記送信要求メッセージ受信段階遂行後、コンパクト制御局間が連結状態であるのかを確認する連結状態確認段階と、前記連結状態確認段階でコンパクト制御局間が連結状態の場合制御データに続き運用保全データを順に運用者インタフェース機能を提供するコンパクト制御局の網整合部に送信する運用保全データ送信段階と、前記連結状態確認段階でコンパクト制御局間が未連結状態の場合運用保全データを削除するデータ削除段階とで構成されることを特徴とするコンパクト制御局間のイーサネットを利用したデータ伝送方法。
【請求項７】
コンパクト制御局間のデータ伝送方法において、
前記コンパクト制御局内網整合部の機能をデータ送信機能とデータ受信機能とによって分離生成する網整合部分離生成段階と、
前記網整合部分離生成段階で前記網整合部がデータ受信機能として生成された場合、他のコンパクト制御局内網整合部からイーサネットを利用したＴＣＰ／ＩＰ通信を通して運用保全データを受信するデータ受信段階と、
前記網整合部分離生成段階で前記網整合部がデータ送信機能として生成された場合、他のコンパクト制御局内網整合部にイーサネットを利用したＴＣＰ／ＩＰ通信を通して制御データ及び運用保全データを送信するデータ送信段階と、で構成され、
前記コンパクト制御局間の連結が終了される場合自動で再連結するための過程は、コンパクト制御局間の連結終了を感知した直ちに網整合部を再駆動させる網整合部駆動段階と、前記網整合部駆動段階遂行後、網整合部間に連結要求メッセージと応答メッセージとを送受信してコンパクト制御局間を連結状態に転換する連結状態転換段階と、前記連結状態転換段階でコンパクト制御局間が連結状態に転換されるとイーサネットを利用したＴＣＰ／ＩＰ通信を通して運用保全データを送受信する網整合部機能遂行段階とで構成されることを特徴とするコンパクト制御局間のイーサネットを利用したデータ伝送方法。
【請求項８】
前記連結状態転換段階は、
運用者インタフェース機能を提供しないコンパクト制御局内網整合部から連結要求を待機している途中で連結要求がきたのか判断して連結要求が来ていないと一定時間待機してから再び連結要求がきたのか判断して、連結要求が来ていれば連結要求に対する応答を前記運用者インタフェース機能を提供しないコンパクト制御局内網整合部に送信した後自身を連結状態に転換することを特徴とする請求項７に記載のコンパクト制御局間のイーサネットを利用したデータ伝送方法。
【請求項９】
前記連結状態転換段階は、
運用者インタフェース機能を提供するコンパクト制御局内網整合部に連結を要求する連結要求メッセージを送信して、運用者インタフェース機能を提供するコンパクト制御局内網整合部から連結要求に対する応答がきたのか判断して応答が来ていないと一定時間待機してから再び応答がきたのか判断して、応答が来ていれば自身を連結状態に転換することを特徴とする請求項７に記載のコンパクト制御局間のイーサネットを利用したデータ伝送方法。
【発明の詳細な説明】
【０００１】
【発明の属する技術分野】
本発明は、コンパクト（Ｃｏｍｐａｃｔ）制御局間のイーサネット（Ｅｔｈｅｒｎｅｔ）を利用したデータ伝送方法に関するものであり、特にデジタル移動通信システムのコンパクト制御局間にイーサネットを利用したＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信を遂行して運用保全データを正確に送受信できるようにしたコンパクト制御局間のイーサネットを利用したデータ伝送方法に関するものである。
【０００２】
【従来の技術】
一般に、デジタル移動通信システムは、移動局、基地局、制御局、ＢＳＭ（Ｂａｓｅ  Ｓｔａｔｉｏｎ  Ｍａｎａｇｅｒ）などを含んで構成されるが、この時、前記ＢＳＭは、制御局の状態管理、警報管理、障害管理、診断管理、形状管理などのあらゆる運用保全管理機能を遂行する。
【０００３】
前記のような運用保全管理機能を遂行するために、従来では前記ＢＳＭの網整合装置と前記制御局のＬＣＩＮ（Ｌｏｃａｌ  ＣＤＭＡ  Ｉｎｔｅｒｃｏｎｎｅｃｔｉｏｎ  Ｎｅｔｗｏｒｋ）とを通してＢＳＭと制御局間に運用保全データを送受信した。
【０００４】
一方、コンパクト制御局とは、前記大型制御局を設けるのが難しい場所、例えば無人地帯のような場所に設けることができる小型システムをいうものであり、最近では前記大型制御局の機能と前記ＢＳＭの機能とが合わせられたコンパクト制御局が実現中であって、前記コンパクト制御局と前記ＢＳＭ間にも前記網整合装置とＬＣＩＮとを通して運用保全データを送受信する。
【０００５】
すなわち、従来には前記ＢＳＭと制御局（またはコンパクト制御局）間に運用保全データを送受信するために、前記ＢＳＭには網整合装置が設けられて、前記制御局（またはコンパクト制御局）にはＬＣＩＮというラウタ装置が設けられており、この時、ＢＳＭと制御局（またはコンパクト制御局）とはＲＳ−４２２を通して連結されている。
【０００６】
【発明が解決しようとする課題】
しかし、従来では前記のように運用保全機能を遂行するための前記ＢＳＭの網整合装置の値段がかなり高価で経済的な負担が大きいだけでなく、ＲＳ−４２２の場合、ＢＳＭと制御局（またはコンパクト制御局）間の距離が一定距離以上越えれば運用保全データの損失をもたらして距離の長さが制限されるようになる問題点があった。
【０００７】
また、運用保全データが消失される場合には前記網整合装置内にこれを補償できる機能が全くないので上位段の応用ブロック（Ａｐｐｌｉｃａｔｉｏｎ  Ｂｌｏｃｋ）が運用保全データの消失可否を感知しなければならないので運用保全データに対する正確な伝送が保障し難い問題点があった。
【０００８】
本発明は前記のような従来技術における諸般の問題点を解決するために提案されたものであり、その目的は、ＢＳＭ機能と制御局機能とを含んでいるコンパクト制御局間にイーサネットを利用したＴＣＰ／ＩＰ通信を遂行して運用保全データを送受信することにより高価の網整合装置を使用することなく経済的な負担を減らすことができ、遠距離でもＬＡＮに連結すればコンパクト制御局の位置に関係なく運用保全データを送受信可能であるので距離に対する制約を減らすことができ、前記ＴＣＰ／ＩＰ通信を利用することによってデータ消失時再転送でき運用保全データの伝送に対する正確性が保障できるようにしたコンパクト制御局間のイーサネットを利用したデータ伝送方法を提供することにある。
【０００９】
【課題を解決するための手段】
このような目的を達成するための本発明のコンパクト制御局間のイーサネットを利用したデータ伝送方法は、コンパクト制御局内網整合部をデータ送信機能とデータ受信機能とによって分離生成する網整合部分離生成段階と、前記網整合部分離生成段階で網整合部がデータ受信機能によって生成された場合他コンパクト制御局内網整合部からイーサネットを利用したＴＣＰ／ＩＰ通信を通して運用保全データを受信するデータ受信段階と、前記網整合部分離生成段階で網整合部がデータ送信機能によって生成された場合他コンパクト制御局内網整合部にイーサネットを利用したＴＣＰ／ＩＰ通信を通して制御データ及び運用保全データを送信するデータ送信段階とで構成されることを特徴とする。
【００１０】
【発明の実施の形態】
以下、添付された図面を参考にしながら本発明によるコンパクト制御局間のイーサネットを利用したデータ伝送方法を詳細に説明する。
【００１１】
図１は、本発明のデータ伝送方法を具現するためのコンパクト制御局のブロック構成図であり、コンパクト制御局は、運用者インタフェース機能を提供する第１コンパクト制御局１０と、運用者インタフェース機能を提供しない第２コンパクト制御局２０とに大別される二種のシステムで構成される。
【００１２】
前記第１コンパクト制御局１０は、前記第２コンパクト制御局２０と連結してイーサネットを利用したＴＣＰ／ＩＰ通信を通して運用保全データを送受信するための網整合部１１と、前記網整合部１１で送受信される運用保全データを運用保全管理機能によって処理する運用保全管理機能処理部１２と、前記網整合部１１で送受信される運用保全データを総括管理して運用者インタフェースを提供する運用者インタフェース画面処理部１３とで構成される。
【００１３】
そして、前記第２コンパクト制御局２０は、前記第１コンパクト制御局１０と連結してイーサネットを利用したＴＣＰ／ＩＰ通信を通して運用保全データを送受信するための網整合部２１と、前記網整合部２１で送受信される運用保全データを運用保全管理機能によって処理する運用保全管理機能処理部２２とで構成される。
【００１４】
初期に生成される前記第２コンパクト制御局２０の網整合部２１は、前記第１コンパクト制御局１０の網整合部１１に連結要求をし、第１コンパクト制御局１０の網整合部１１は、第１コンパクト制御局２０の網整合部２１から連結要求を待っている間に連結要求が来れば、網整合部２１に連結要求に対する応答をして連結状態に転換する。
【００１５】
続いて、前記第２コンパクト制御局２０の網整合部２１は、第１コンパクト制御局１０の網整合部１１から連結要求に対する応答を受ければ、連結状態に転換して応答がなければ応答がくる時まで周期的に一定時間毎に連結要求を続ける。
【００１６】
以後、第１コンパクト制御局１０の運用者インタフェース画面処理部１３または運用保全管理機能処理部１２で第２コンパクト制御局２０の運用保全管理のための運用保全データを第１コンパクト制御局１０の網整合部１１に伝送すると、網整合部１１は、待っている途中、現在第２コンパクト制御局２０内網整合部２１との連結状態が正常連結状態の場合は、イーサネットを利用したＴＣＰ／ＩＰ通信を通して前記運用保全データを第２コンパクト制御局２０の網整合部２１に伝送し、未連結状態の場合は、前記運用保全データを削除して未連結状態を運用者に通報する。
【００１７】
前記のように構成された第１、第２コンパクト制御局１０、２０間で行なわれる本発明によるイーサネットを利用したデータ伝送方法をより詳細に説明すると次のとおりである。
【００１８】
図２は、本発明によるデータ伝送方法によってデータを送受信する第１コンパクト制御局１０と第２コンパクト制御局２０間の自動再連結動作を示した流れ図であり、第１コンパクト制御局１０と第２コンパクト制御局２０間の連結が終了された後にも自動で再連結できるようになる。
【００１９】
すなわち、図２に示されたように、第１コンパクト制御局１０と第２コンパクト制御局２０間の連結が終了される場合、網整合部１１、２１がこれを感知する連結終了感知段階（Ｓ１）から網整合部駆動段階（Ｓ２）に進めて、網整合部１１、２１が連結終了を感知すれば、第１コンパクト制御局１０と第２コンパクト制御局２０各々の網整合部１１、２１を再駆動させる。
【００２０】
すなわち、現在連結されたＴＣＰ／ＩＰソケットをクローズ（Ｃｌｏｓｅ）して再連結を試みるようにすることである。
【００２１】
前記網整合部駆動段階（Ｓ２）後に連結状態転換段階（Ｓ３）に進めて第１コンパクト制御局１０内網整合部１１と第２コンパクト制御局２０内網整合部２１間に連結要求メッセージと応答メッセージとを送受信することにより、第１コンパクト制御局１０と第２コンパクト制御局２０間を連結状態に転換する。
【００２２】
すなわち、第１コンパクト制御局１０内網整合部１１は、第２コンパクト制御局２０内網整合部２１から連結要求を待機している途中で連結要求がきたのか判断し、連結要求が来ていないと一定時間待機してから再び連結要求がきたのか判断して、連結要求が来ていれば、連結要求に対する応答を網整合部２１に伝送した後自身を連結状態に転換する。
【００２３】
そして、第２コンパクト制御局２０内網整合部２１は、第１コンパクト制御局１０内網整合部１１に連結を要求する連結要求メッセージを伝送して、網整合部１１から連結要求に対する応答がきたのか判断し、応答が来ていないと、一定時間待機してから再び応答がきたのか判断し、応答が来ていれば、自身を連結状態に転換する。
【００２４】
前記連結状態転換段階（Ｓ３）後に網整合部機能遂行段階（Ｓ４）に進めて第１コンパクト制御局１０と第２コンパクト制御局２０とが連結されていれば、イーサネットを利用したＴＣＰ／ＩＰ通信を通して運用保全データを送受信する正常的な網整合部機能を遂行する。
【００２５】
図３は、本発明による運用者インタフェース機能を含んでいるコンパクト制御局、すなわち前記第１コンパクト制御局１０におけるデータ伝送方法を示した動作流れ図である。
【００２６】
網整合部１１を機能によって分離生成する網整合部分離生成段階（Ｓ１１）から機能判断段階（Ｓ１２）に進めて前記網整合部分離生成段階（Ｓ１１）で生成された網整合部１１の機能がデータ送信処理のための機能であるのかそれともデータ受信処理のための機能であるのかを判断する。
【００２７】
すなわち、網整合部１１と第２コンパクト制御局２０内網整合部２１とに運用保全データを送信するデータ送信機能によって生成されたものかそれとも第２コンパクト制御局２０内網整合部２１から運用保全データを受信するデータ受信機能によって生成されたものであるのかを判断する。
【００２８】
前記機能判断段階（Ｓ１２）でデータ受信機能の場合であれば前記機能判断段階（Ｓ１２）後に連結要求及び応答送受信段階（Ｓ１３）に進めて網整合部２１から連結要求メッセージを受信してから直ちに応答メッセージを網整合部２１に送信する。
【００２９】
すなわち、網整合部１１が網整合部２１からの連結要求を待機している途中で連結要求可否を判断して連結要求が来ていないと一定時間待機してから再び連結要求可否を判断し、連結要求が来ていれば連結要求に対する応答メッセージを網整合部２１に送信する。
【００３０】
前記連結要求及び応答送受信段階（Ｓ１３）後に連結状態転換段階（Ｓ１４）に進めて網整合部１１の状態を連結状態に転換する。
【００３１】
前記連結状態転換段階（Ｓ１４）後にデータ受信可否判断段階（Ｓ１５）に進めて網整合部２１から運用保全データが受信されたのか判断した後、前記段階（Ｓ１５）で運用保全データが受信されていればデータ受信段階（Ｓ１６）に進めて網整合部２１から送信される運用保全データをイーサネットを利用したＴＣＰ／ＩＰ通信を通して受信して該応用ブロックにメッセージ形態で伝送処理する。
【００３２】
一方、前記機能判断段階（Ｓ１２）でデータ送信機能の場合であれば前記機能判断段階（Ｓ１２）から送信要求メッセージ受信段階（Ｓ１７）に進めて第１コンパクト制御局１０内内部メッセージ待ち行列から運用保全データ送信要求メッセージを受信する。
【００３３】
すなわち、網整合部１１は、第１コンパクト制御局１０内内部メッセージ待ち行列から運用保全データ送信要求を待機している途中でデータ送信要求可否を判断してデータ送信要求が来ていないと再び待機して、データ送信要求が来ていればメッセージを受信する。
【００３４】
前記送信要求メッセージ受信段階（Ｓ１７）後に連結状態確認段階（Ｓ１８）に進めて現在第１コンパクト制御局１０と第２コンパクト制御局２０とが連結状態であるのかを判断した後、前記段階（Ｓ１８）で連結状態の場合であればデータ送信段階（Ｓ１９）に進めて制御データを先にイーサネットを利用したＴＣＰ／ＩＰ通信を通して送信した後、次に運用保全データを前記イーサネットを利用したＴＣＰ／ＩＰ通信を通して第２コンパクト制御局２０内網整合部２１に送信する。
【００３５】
ここで、該運用保全データの長さ及び内容に対する簡単な情報を予め知らせるために制御データを先に送信した後、実際運用保全データを後ほど送信する。
【００３６】
そして、前記連結状態確認段階（Ｓ１８）で第１コンパクト制御局１０と第２コンパクト制御局２０とが連結状態ではない場合であれば、データ削除段階（Ｓ２０）に進めて運用保全データを削除して制御局間の未連結状態を運用者に通報する。
【００３７】
図４は、本発明による運用者インタフェース機能を含んでいないコンパクト制御局、すなわち前記第２コンパクト制御局２０におけるデータ伝送方法を示した動作流れ図である。
【００３８】
網整合部２１を機能によって分離生成する網整合部分離生成段階（Ｓ２１）から機能判断段階（Ｓ２２）に進めて前記網整合部分離生成段階（Ｓ２１）で生成された網整合部２１の機能がデータ送信処理のための機能であるのかそれともデータ受信処理のための機能であるのかを判断する。
【００３９】
すなわち、網整合部２１が第１コンパクト制御局１０内網整合部１１に運用保全データを送信するデータ送信機能によって生成されたものかそれとも第１コンパクト制御局１０内網整合部１１から運用保全データを受信するデータ受信機能によって生成されたことかを判断する。
【００４０】
前記機能判断段階（Ｓ２２）でデータ受信機能の場合であれば前記機能判断段階（Ｓ２２）後に連結要求及び応答送受信段階（Ｓ２３）に進めて網整合部１１に連結要求メッセージを送信して、網整合部１１から応答メッセージを受信する。
【００４１】
すなわち、網整合部２１が網整合部１１に連結要求メッセージを送信して連結要求に対する応答受信可否を判断して応答が来ていないと一定時間待機してから再び応答受信可否を判断し、応答が来ていれば応答メッセージを受信する。
【００４２】
前記連結要求及び応答送受信段階（Ｓ２３）後に連結状態転換段階（Ｓ２４）に進めて網整合部２１の状態を連結状態に転換する。
【００４３】
前記連結状態転換段階（Ｓ２４）後にデータ受信可否判断段階（Ｓ２５）に進めて網整合部１１から運用保全データが受信されたのか判断した後、前記段階（Ｓ２５）で運用保全データが受信されていればデータ受信段階（Ｓ２６）に進めて網整合部１１から送信される運用保全データをイーサネットを利用したＴＣＰ／ＩＰ通信を通して受信して該応用ブロックにメッセージ形態で伝送処理する。
【００４４】
一方、前記機能判断段階（Ｓ２２）でデータ送信機能の場合であれば前記機能判断段階（Ｓ２２）から送信要求メッセージ受信段階（Ｓ２７）に進めて第２コンパクト制御局２０内内部メッセージ待ち行列から運用保全データ送信要求メッセージを受信する。
【００４５】
すなわち、網整合部２１は、第２コンパクト制御局２０内内部メッセージ待ち行列から運用保全データ送信要求を待機している途中でデータ送信要求可否を判断してデータ送信要求が来ていないと再び待機して、データ送信要求が来ていればメッセージを受信する。
【００４６】
前記送信要求メッセージ受信段階（Ｓ２７）後に連結状態確認段階（Ｓ２８）に進めて現在第１コンパクト制御局１０と第２コンパクト制御局２０とが連結状態であるのかを判断した後、前記段階（Ｓ２８）で連結状態の場合であればデータ送信段階（Ｓ２９）に進めて制御データを先にイーサネットを利用したＴＣＰ／ＩＰ通信を通して送信した後、次に運用保全データを前記イーサネットを利用したＴＣＰ／ＩＰ通信を通して第１コンパクト制御局１０内網整合部１１に送信する。
【００４７】
ここで、該運用保全データの長さ及び内容に対する簡単な情報を予め知らせるために制御データを先に送信した後、実際運用保全データを後ほど送信する。
【００４８】
そして、前記連結状態確認段階（Ｓ２８）で第１コンパクト制御局１０と第２コンパクト制御局２０とが連結状態でない場合であればデータ削除段階（Ｓ２０）に進めて運用保全データを削除する。
【００４９】
【発明の効果】
以上で詳述した本発明は、ＢＳＭ機能と制御局機能とを含んでいるコンパクト制御局間にイーサネットを利用してＴＣＰ／ＩＰ通信を遂行することによって、コンパクト制御局間の呼処理データに影響を与えなく正確に運用保全データを送受信でき、高価の網整合装置を使用しないことによって経済的な負担を減らすことができる。
【００５０】
また、コンパクト制御局のＩＰアドレスのみ知っていればコンパクト制御局の位置が変更されたり遠距離でもＬＡＮに連結して位置に関係がなく運用保全データを送受信可能であるので、距離に対する制約性を減らすことができる。
【００５１】
また、前記ＴＣＰ／ＩＰ通信を利用することによってデータ消失時再伝送できて運用保全データの伝送に対する正確性が保障される。
【図面の簡単な説明】
【図１】本発明のデータ伝送方法を具現するためのコンパクト制御局のブロック構成図である。
【図２】本発明によるデータ伝送方法によってデータを送受信するコンパクト制御局間の自動再連結過程を示した動作流れ図である。
【図３】本発明による運用者インタフェース機能を含んでいるコンパクト制御局におけるデータ伝送方法を示した動作流れ図である。
【図４】本発明による運用者インタフェース機能を含んでいないコンパクト制御局におけるデータ伝送方法を示した動作流れ図である。
【符号の説明】
１０  第１コンパクト制御局、２０  第２コンパクト制御局、１１、２１  網整合部、１２、１３  運用保全管理機能処理部、１３  運用者インタフェース画面処理部。
【図１】
0003623460.tif 000002
【図２】
0003623460.tif 000003
【図３】
0003623460.tif 000004
【図４】
0003623460.tif 000005